(57)【要約】      （修正有）【課題】床面の凸部の段差による入浴者の転倒、足拭きマットの位置ずれ、また、その位置ずれによる浴室出入口前の周辺の水濡れ等をなくすことができる水濡れ領域における珪藻土を用いた床仕上げ構造を提供する。【解決手段】浴場の脱衣場８の浴室出入口７前における床仕上げ構造であって、浴室出入口７前の脱衣場側床面２のモルタル部に略矩形の凹部３を設け、凹部３に珪藻土を主成分としバインダーと水等で混練してなる粘土状の吸湿材料が塗布された後、自然乾燥され、脱衣場側床面２と垂直に立ち上がった段差がなく構成されると共に、モルタル部との界面に隙間がなく構成された吸湿部４ａからなる珪藻土床面４を構成してなる。【選択図】図１
0003204408.tif 000002
【実用新案登録請求の範囲】
【請求項１】
水濡れ領域における床仕上げ構造であって、
床を構成するモルタル部に設けられた凹部と、
前記凹部に珪藻土を主成分としバインダーと水で混練されてなる粘土状の吸湿材料が塗布された後、自然乾燥され、前記床の床面と垂直に立ち上がった段差がなく構成されると共に、
前記モルタル部との界面に隙間がなく構成された吸湿部が設けられてなることを特徴とする
水濡れ領域における珪藻土を用いた床仕上げ構造。
【請求項２】
前記水濡れ領域が、ホテル、温泉施設及びスポーツ施設等の施設に設けられた浴場、及び前記浴場の脱衣場であって、
前記凹部が、前記脱衣場における浴室出入口前の床を構成するモルタル部に設けられてなることを特徴とする
請求項１に記載の水濡れ領域における珪藻土を用いた床仕上げ構造。
【請求項３】
前記凹部を、前記浴室出入口の境界部の内外両方に設けたことを特徴とする
請求項２に記載の水濡れ領域における珪藻土を用いた床仕上げ構造。
【請求項４】
前記凹部の前記浴室出入口に対する前後方向の長さが前記浴室出入口の境界部に設けられた沓摺を含めて６００〜１２００ｍｍ程度の範囲であることを特徴とする
請求項２若しくは３に記載の水濡れ領域における珪藻土を用いた床仕上げ構造。
【考案の詳細な説明】
【技術分野】
【０００１】
本考案は、主に、利用者が多いホテル、温泉施設及びスポーツ施設等の施設に設けられた浴場の脱衣場の浴室出入口前等、及びトイレや手洗い設備の周囲等、他の水濡れ領域における床仕上げ構造に関する。
【背景技術】
【０００２】
従来から、ホテル、温泉施設及びスポーツ施設等の施設に設けられた浴場における脱衣場の浴室出入口前の床面は、入浴者の浴後の退出時に体へ付着した水滴の飛散により濡れ易く、且つ湿気を帯びるため、浴室出入口前には湯上りマットや簀の子等を敷いて水切りとして利用されることが多い。
【０００３】
しかし、例え、湯上りマットを敷いても利用者数が多くなると湿潤状態が進んで、びしょびしょに濡れた湯上りマットとなり、利用時間が遅い人に対して不快感が増大、また、簀の子を敷いても腐食し易く耐久性が劣り、且つ、滑り易い等の欠点があった。
【０００４】
また、床面と湯上りマットの段差や、湯上りマットの周辺の床面が濡れることで、けつまずきや滑りにより転倒する等の危険性があった。さらに、吸湿効果を上げるために、広い範囲に湯上りマットを敷いても湯上りマットが乱れる等、幾多の欠点があった。
【０００５】
一方、施設側であるホテル、温泉施設及びスポーツ施設等の施設においても同様に、湯上りマットの定時交換及び洗濯、簀の子の交換等の管理業務やコストが増える等の問題があった。
【０００６】
これらの問題点を解決するために、従来、少なくとも珪藻土を含む調湿材を用い、かつ平面矩形状に形成された高吸水性タイルと、該高吸水性タイルを複数枚並べて支持しうる支持盤とを具え、前記高吸水性タイルは、縦横の一辺長さが１５０〜４５０ｍｍ、厚さが５〜２０ｍｍであることを特徴とする足拭きマットが知られている（特許文献１参照）。
【先行技術文献】
【特許文献】
【０００７】
【特許文献１】特開２００６−０３４７９７号公報
【考案の概要】
【考案が解決しようとする課題】
【０００８】
しかし、従来技術は、浴室出入口の床面に載置して使用されるため、床面に凸部の段差ができることになり、当該床面を歩く際、けつまずくことや、また、転倒し易くなる危険性もある。
【０００９】
また、当該足拭きマットは床面に載置するだけのために、当該足拭きマットの位置がずれ易く、それによって、本来の役目である湯上りマットとしての吸水効果が薄れる、或いは、浴室出入口前の周辺が濡れ易くなる等の課題があった。
【課題を解決するための手段】
【００１０】
本考案は、前記課題を解決し、有用で浴室出入口等にマッチし、且つ施工が簡易な珪藻土を用いた床仕上げ構造を提供するもので、水濡れ領域における床仕上げ構造であって、床を構成するモルタル部に設けられた凹部と、前記凹部に珪藻土を主成分としバインダーと水で混練されてなる粘土状の吸湿材料が塗布された後、自然乾燥され、前記床の床面と垂直に立ち上がった段差がなく構成されると共に、前記モルタル部との界面に隙間がなく構成された吸湿部が設けられてなることを特徴とする水濡れ領域における珪藻土を用いた床仕上げ構造である。
【００１１】
さらに、本考案は、前記水濡れ領域が、ホテル、温泉施設及びスポーツ施設等の施設に設けられた浴場、及び前記浴場の脱衣場であって、前記凹部が、前記脱衣場における浴室出入口前の床を構成するモルタル部に設けられてなることを特徴とする水濡れ領域における珪藻土を用いた床仕上げ構造であっても好ましい。
【００１２】
さらに、本考案は、前記凹部を、前記浴室出入口の境界部の内外両方に設けたことを特徴とする水濡れ領域における珪藻土を用いた床仕上げ構造であっても良い。
【００１３】
さらに、本考案は、前記凹部の前記浴室出入口に対する前後方向の長さが前記浴室出入口の境界部に設けられた沓摺を含めて６００〜１２００ｍｍ程度の範囲であることを特徴とする水濡れ領域における珪藻土を用いた床仕上げ構造であることが好ましい。
【００１４】
このようにしてなる本考案の水濡れ領域における珪藻土を用いた床仕上げ構造は、珪藻土が持つ高い吸・放湿機能により、浴場の脱衣場の浴室出入口前の吸湿部の上面からなる珪藻土床面が直接、入浴者の浴後の退出時に足の裏へ付着した水分を吸水した後、吸湿部が迅速に水分を発散させて床表面を乾燥した状態に戻すために、次々と退出する人にとっても濡れた床面を踏まなくて済むことで不快感が大幅に軽減、或いは、不快に感じることがない床仕上げ構造を提供できる。
【００１５】
また、本考案の水濡れ領域における珪藻土を用いた床仕上げ構造は、前記凹部を、前記浴室出入口の境界部の内外両方に設けて、前記脱衣場側の前記浴室出入口前だけではなく、浴室側の前記浴室出入口前にも同様に前記吸湿部の上面からなる前記珪藻土床面を構成することとしても好ましい。前記浴室側に設けられた前記吸湿部の上で、入浴後の入浴者が体を拭くために一旦立ち止まれば、体を拭く間、入浴者は前記珪藻土床面の上で足踏みをするため、足の裏に付着した水分を前記脱衣場に出る前の段階でより効果的に吸収することができる。このように、水分の吸収効果が増大するために、より気持ちの良い湯上り状態を維持することができる。
【００１６】
さらに、本考案の水濡れ領域における珪藻土を用いた床仕上げ構造は、浴室出入口の境界部に設けられた沓摺と略同一の幅で、且つ、前記浴室出入口に対する前後方向の長さが前記浴室出入口の境界部に設けられた前記沓摺を含めて６００〜１２００ｍｍ程度の範囲に構成することが好ましい。
【００１７】
大人の一般的な歩幅が略６００ｍｍとして、沓摺から６００ｍｍの長さの場合は、前記珪藻土床面を２歩（両足が１回）踏むことができ、また、１２００ｍｍの長さの場合は、珪藻土床面を３〜４歩（両足が１回〜２回）踏むことができる。このことにより、入浴者の足の一方が前記珪藻土床面を踏まずに通過することを防止できる。また、利用時間が遅い入浴者で浴後の退出時に体へ付着した水分の滴下や飛散があったとしても、１２００ｍｍの長さがあれば６００ｍｍの長さである場合よりも十分に水分を吸水することとなるので、次々に入浴する入浴者の浴後の退出時でも湯上りの気持ちの良さを継続できるものである。
【００１８】
また、本考案の水濡れ領域における珪藻土を用いた床仕上げ構造の大きさ及びその平面形状は、ホテル、温泉施設及びスポーツ施設等の施設に設けられた浴場の脱衣場及び浴室の面積、或いは、入浴者の人数、さらに、デザイン性等を考慮して決めることが好ましい。
【００１９】
また、前記珪藻土床面の厚さは、既存の脱衣場の浴室出入口前に凹部を形成し、前記凹部に珪藻土を主成分としバインダーと水等で混練してなる粘土状の吸湿材料が塗布された後、自然乾燥させた前記吸湿部から構成された前記珪藻土床面の材料費の削減と、前記珪藻土床面の吸湿性確保のために、前記吸湿部の厚さを１０〜１５ｍｍ程度にすることが好ましい。
【００２０】
また、バインダーとしては、合成樹脂を使用することもできるが、珪藻土の多孔質構造を構成する孔を塞がないためにも火山灰、石灰、若しくは植物繊維等の天然素材を用いることが好ましい。
【００２１】
また、前記珪藻土床面の高さを前記モルタル部の床面と垂直に立ち上がった段差をなくしているので、前記珪藻土床面を歩く際、けつまずくこともなく、吸湿部が前記凹部の側壁との界面において隙間なく密着して構成されることにより、前記珪藻土床面を入浴者が歩いても前記吸湿部がずれ動くことがなく、さらに、前記珪藻土床面が水分を吸水した後、迅速に乾燥するために滑り難い床面の状態を保持できるので、結果として、浴室出入口前の床の上に足拭きマット等を載置しなくても入浴者が転倒することが殆どなくなる。
【００２２】
また、前記モルタル部としては、セメントと砂と水を調合・撹拌してできるモルタルか、または、セメントと砂と砂利と水を調合・撹拌してできるコンクリートのいずれか、或いは、モルタルとコンクリートの両方を組み合わせて使用する構成としても好ましい。
【００２３】
また、前記モルタル部に形成した前記凹部に、珪藻土を主成分としバインダーと水等で混練してなる粘土状の吸湿材料が直に塗布された後、自然乾燥させた前記吸湿部からなる前記珪藻土床面を構成してなるので、前記モルタル部と珪藻土との界面に隙間が生じなく、当該界面に余分の水分が溜まることもない。
【００２４】
また、珪藻土を主成分としバインダーと水等で混練してなる粘土状の吸湿材料が直に塗布された後、前記吸湿材料がまだ柔らかい状態の時に、予めデザインした凸版型の版木、または、樹脂パターン板で前記吸湿材料を軽く押圧することにより、無味乾燥な床面が吸水効果に加えて、デザインされた美感と楽しさを醸し出すこともできる。
【００２５】
また、本考案の水濡れ領域における珪藻土を用いた床仕上げ構造は、上記したように、高い吸・放湿機能に加えて、脱臭効果、カビ及びダニの発生の抑制、置き式マットのような洗濯機等による電力や水、洗剤を抑制する等の大きなメリットがある。
【考案の効果】
【００２６】
本考案の水濡れ領域における珪藻土を用いた床仕上げ構造によれば、上記したように、浴室出入口前の床面のモルタル部に設けられた凹部と、前記凹部に珪藻土を主成分としバインダーと水で混練されてなる粘土状の吸湿材料が塗布された後、自然乾燥され、前記床の床面と垂直に立ち上がった段差がない吸湿部からなる珪藻土床面を構成したことにより、従来技術における課題であった、床面の凸部の段差による入浴者の転倒、足拭きマットの位置ずれ、また、その位置ずれによる浴室出入口前の周辺の水濡れ等をなくすことができる。
【００２７】
また、上記したように、前記珪藻土床面の大きさとして、前記浴室出入口の境界部に設けられた沓摺と略同一の幅で、且つ、前記浴室出入口の境界部に設けられた前記沓摺を含めて６００〜１２００ｍｍ程度の範囲の長さで構成しており、その大きさの前記珪藻土床面で入浴者が浴後の退出時に少なくとも２歩、３歩、或いは、４歩歩く長さを確保でき、入浴者の両足が前記珪藻土床面を必ず踏むことができる。このことにより、入浴者の体へ付着した水分の滴下や飛散があっても前記珪藻土床面を踏むことで、即時に、且つ、十分に水分を吸水することができる、水濡れ領域における珪藻土を用いた床仕上げ構造を提供することができる。
【００２８】
また、前記珪藻土床面の高さを前記モルタル部の床面と垂直に立ち上がった段差を殆どなくしているので、前記珪藻土床面を歩く際、けつまずくこともなく、前記吸湿部が前記凹部の側壁との界面において隙間なく密着して構成されることにより、前記珪藻土床面を入浴者が歩いても前記吸湿部がずれ動くことがなく、さらに、前記珪藻土床面が水分を吸水した後、迅速に乾燥するために滑り難い床面の状態を保持できるので、結果として、前記浴室出入口前の床の上に足拭きマット等で入浴者が転倒することが殆どなくなる。
【００２９】
また、前記凹部を、前記浴室出入口の境界部の内外両方に設けて、前記脱衣場側の前記浴室出入口前だけではなく、浴室側の前記浴室出入口前にも同様に吸湿部の上面からなる前記珪藻土床面を構成することにより、入浴者の浴後の退出時に前記浴室側と前記脱衣場側の両方の前記珪藻土床面を通過することになるので、さらに水分の吸収効果が増大するために、より気持ちの良い湯上り状態を維持することができる。
【図面の簡単な説明】
【００３０】
【図１】本考案の一実施例を示し、水濡れ領域における珪藻土を用いた床仕上げ構造の使用状態を示す浴室出入口の斜視図である。
【図２】本考案の一実施例を示し、図１の水濡れ領域における珪藻土を用いた床仕上げ構造の使用状態を示す浴室出入口付近の平面図である。
【図３】本考案の一実施例を示し、図２のＡ−Ａ断面図である。
【図４】本考案の他の実施例を示し、図２のＡ−Ａ断面図である。
【考案を実施するための形態】
【００３１】
以下、本考案に係る実施の形態を、図を参照しながら詳しく説明する。
【００３２】
本考案の水濡れ領域における珪藻土を用いた床仕上げ構造１は、図１乃至図３に示すように、例えば、ホテル、温泉施設及びスポーツ施設等の施設に設けられた浴場の脱衣場８の浴室出入口７前における床仕上げ構造であって、浴室出入口７前の脱衣場側床面２のモルタル部２ａに略矩形の凹部３を設け、凹部３に珪藻土を主成分としバインダーと水等で混練してなる粘土状の吸湿材料４ｂが塗布された後、自然乾燥され、脱衣場側床面２と垂直に立ち上がった段差がなく構成されると共に、モルタル部２ａとの界面に隙間がなく構成された吸湿部４ａからなる珪藻土床面４を構成してなる。
【００３３】
また、本考案の水濡れ領域における珪藻土を用いた床仕上げ構造１は、凹部３の浴室出入口７に対する前後方向の長さ（ａ）が浴室出入口７の沓摺６を含めて６００〜１２００ｍ程度の範囲に構成されると共に、凹部３の横幅（ｂ）が沓摺６と略同一で、吸湿部４ａの厚さ（ｃ）が１０〜１５ｍｍ程度であって、凹部３に粘土状の吸湿材料４ｂを塗布された後、自然乾燥された吸湿部４ａからなる珪藻土床面４を構成してなる。
【００３４】
また、脱衣場側床面２と、珪藻土床面４との界面には垂直に立ち上がった段差がない構成にしているので、浴室１０から入浴者が浴後に退出する際、けつまずくこともなく、また、入浴者の体へ付着した水分の滴下や飛散があっても、珪藻土床面４で即時に水分を吸水した後、吸湿部４ａが迅速に水分を発散させて珪藻土床面４を乾燥した状態に戻すために、次々と退出する人にとっても不快感が大幅に軽減、或いは、不快に感じることがない床仕上げ構造を提供できる。
【００３５】
また、凹部３を、浴室出入口７の境界部の内外両方に設けて、脱衣場８側の浴室出入口７前だけではなく、浴室１０側の浴室出入口７前の浴室側床面９に設けた凹部３にも同様に吸湿部４ａの上面からなる珪藻土床面４を構成することにより、入浴者の浴後の退出時に浴室１０側と脱衣場８側の両方の珪藻土床面４を通過することになるので、さらに水分の吸収効果が増大するために、より気持ちの良い湯上り状態を維持することができる。
【００３６】
また、図４に示すように、凹部３内に高さ調整層５を設けて、事前に一定量のモルタル等を高さ調整層５内に塗布することにより、珪藻土を主成分としバインダーと水等で混練してなる粘土状の吸湿材料４ｂが塗布された後、自然乾燥してなる吸湿部４ａからなる珪藻土床面４の高さが調整できる構成の床仕上げ構造を提供できる。
【００３７】
また、図３及び図４に示すように、珪藻土床面４は脱衣場床面２より一部傾斜をつけ、高さ（ｄ）略３ｍｍ程度以内に盛り上げる構成にしてなるので、長期使用時の珪藻土床面４の表面の損傷に対しても、略３ｍｍ程度以内に盛り上がった部分をプレーナー仕上げによる平削りで珪藻土床面４の機能回復が可能な床仕上げ構造を提供できる。
【００３８】
また、吸湿材料４ｂは、珪藻土とバインダーと結合剤に水を適量加えて混練し粘土状にしたものであって、珪藻土の含有量は５０％以上、好ましくは６０％以上であることが高い吸・放湿機能を維持するうえで好ましい。また、バインダー（固化材）は天然素材が好ましく、さらに、固化効果を増進させるために高分子材料系の結合剤を少量加えても好ましい。このようにしてなる粘土状の吸湿材料４ｂを凹部３に壁塗りのごとく塗布された後、自然乾燥された吸湿部４ａからなる珪藻土床面４を形成してなる。
【００３９】
また、凹部３の浴室出入口７に対する沓摺６を含めた前後方向の長さ（ａ）、凹部３の横幅（ｂ）、吸湿部４ａの厚さ（ｃ）、及び脱衣場側床面２に対する珪藻土床面４の吸湿部４ａの高さ（ｄ）の各寸法は、上記に限定されるものではなく、ケースバイケースで設計されることも好ましい。また、吸湿部４ａの寸法についても同様に、ケースバイケースで設計されることも好ましい。
【００４０】
このようにしてなる水濡れ領域における珪藻土を用いた床仕上げ構造１は、入浴者の浴後の浴室１０からの退出時に、珪藻土床面４を通過する際、入浴者の体から滴下する水分を確実に吸水すると共に、珪藻土床面４の高さをモルタル部２ａの脱衣場側床面２と垂直に立ち上がった段差をなくしているので、珪藻土床面４を歩く際、けつまずくこともなく、吸湿部４ａが凹部３の側壁３ａとの界面において隙間なく密着して構成されることにより、珪藻土床面４を入浴者が歩いても吸湿部４ａがずれ動くことがなく、さらに、珪藻土床面４が水分を吸水した後、迅速に乾燥するために滑り難い床面の状態を保持できるので、入浴前後における入浴者の転倒防止等の安全対策が足拭きマット等を載置するよりもより効果的に可能となる。
【００４１】
また、本考案の水濡れ領域における珪藻土を用いた床仕上げ構造１は、上記したように、簡単な構成としているので、施工費用が廉価で、工期も短く、且つ、珪藻土床面４の吸水効果大というメリットがあり、この分野の市場拡大に繋げる商材とすることができる。
【００４２】
上記の通り、本考案によれば、施工費用が廉価で、安全対策ができ、且つ、湯上り時の余分な水分の吸水が可能となる、水濡れ領域における珪藻土を用いた床仕上げ構造１を提供することができる。
【００４３】
また、本考案によれば、例えば、ホテル、温泉施設及びスポーツ施設等の施設の利用者、及び管理者に対する顧客満足度の向上にも大きく寄与できる。
【００４４】
また、本考案によれば、上記のような効果及び顧客満足度の向上に寄与すると共に、ホテル、温泉施設及びスポーツ施設等の施設以外にも、建物、店舗、厨房、プラント、トイレ、ランドリー等の出入口、また、結露の発生するガラスや器具の水の垂れる部分、或いは、トイレの便器、浴槽、手洗い、ドリンクバー、自動販売機、冷水器、冷蔵庫、流し台廻りの水及びその他の水分等の垂れる部分等々の新たな設置場所への提供が期待できる。
【符号の説明】
【００４５】
１    水濡れ領域における珪藻土を用いた床仕上げ構造
２    脱衣場側床面
２ａ  モルタル部
３    凹部
３ａ  側壁
４    珪藻土床面
４ａ  吸湿部
４ｂ  吸湿材料
５    高さ調整層
６    沓摺
７    浴室出入口
８    脱衣場
９    浴室側床面
１０   浴室
（ａ）  長さ
（ｂ）  横幅
（ｃ）  厚さ
（ｄ）  高さ
【図１】
0003204408.tif 000003
【図２】
0003204408.tif 000004
【図３】
0003204408.tif 000005
【図４】
0003204408.tif 000006